(57)【特許請求の範囲】
【請求項１】
先端側にチップが連結され、基端側にフライト付きのシャフトがシャフト前端の螺子棒にて連結されることでダーツ矢を構成するダーツ用バレルであって、
先端を除くバレル外形を有すると共に、前端の開口部から内部の軸方向に伸びる筒孔を有した筒状体からなり、かつ筒孔の後部に、前記シャフト前端の螺子棒よりも長く螺子形成している内螺子構造を有した外枠部品と、
前記開口部から筒孔内に挿入されると共に、筒孔内の内螺子構造のうち孔奥側の螺子形成部分である余ネジ部に螺入固定される固定螺子を有した芯部品とを具備し、この外枠部品と芯部品とが互いに組み構成されるものであり、
前記内螺子構造は、シャフトと連結するシャフト内螺子構造と、前記余ネジ部とが連続螺子形成されてなり、
前記外枠部品は、軸方向に分割された複数の分割枠体から構成され、隣り合う分割枠体は、前端と後端の各当接面同士が当接することでバレル外形を形成してなると共に、軸方向最後部の分割枠体の内部に、前記シャフト内螺子構造と前記余ネジ部とが後端開口側から奥側へ順に連続螺子形成されることで、シャフト内螺子構造と余ネジ部とからなる内螺子構造が形成され、
前記芯部品は、軸方向に伸長する軸棒の最先端に、前記外枠部品の前端の開口部よりも外周側に張出した張出部が固設又は連結されてなると共に軸棒の基端寄りに前記固定螺子が形成され、
張出部が外枠部品の先端に圧接したまま、軸棒の前記固定螺子が、筒孔内で所定の螺子締結力をもって螺入固定された固定状態となり、
この固定状態で、
基端寄りの螺子締結と先端の張出部の圧接反力とによって軸棒の軸力が確保され、またバレル外形を形成した外枠部品の複数の分割枠体が、張出部の張り出し後面の圧接力と、固定螺子の軸方向の螺子反力とによって挟まれた状態となって固定されることを特徴とするダーツ用バレル。
【請求項２】
先端側にチップが連結され、基端側にフライト付きのシャフトがシャフト前端の螺子棒にて連結されることでダーツ矢を構成するダーツ用バレルの構成部品として、
先端を除くバレル外形を有すると共に、前端の開口部から内部の軸方向に伸びる筒孔を有した筒状体からなり、かつ筒孔の後部に、前記シャフト前端の螺子棒よりも長く螺子形成している内螺子構造を有した外枠部品と、
前記開口部から筒孔内に挿入されると共に、筒孔内の内螺子構造のうち孔奥側の螺子形成部分である余ネジ部に螺入固定される固定螺子を有した芯部品とを、それぞれバレル外形部の形状、質量、ないし質量バランスのうちいずれかが異なる複数種類ずつ具備してなり、
これら複数種類のうちいずれかの外枠部品と、いずれかの芯部品とを、任意の組合せでダーツ用バレルに組み構成される構成部品セットであって、
前記内螺子構造は、シャフトと連結するシャフト内螺子構造と、前記余ネジ部とが連続螺子形成されてなり、
前記組み構成される外枠部品は、軸方向に分割された複数の分割枠体から構成され、隣り合う分割枠体は、前端と後端の各当接面同士が当接することでバレル外形を形成してなると共に、軸方向最後部の分割枠体の内部に、前記シャフト内螺子構造と前記余ネジ部とが後端開口側から奥側へ順に連続螺子形成されることで、シャフト内螺子構造と余ネジ部とからなる内螺子構造が形成され、
前記組み構成される芯部品は、軸方向に伸長する軸棒の最先端に、前記外枠部品の前端の開口部よりも外周側に張出した張出部が固設又は連結されてなると共に軸棒の基端寄りに前記固定螺子が形成され、
張出部が外枠部品の先端に圧接したまま、軸棒の前記固定螺子が、筒孔内で所定の螺子締結力をもって螺入固定された固定状態となり、
この固定状態で、
基端寄りの螺子締結と先端の張出部の圧接反力とによって軸棒の軸力が確保され、またバレル外形を形成した外枠部品の複数の分割枠体が、張出部の張り出し後面の圧接力と、固定螺子の軸方向の螺子反力とによって挟まれた状態となって固定されることを特徴とするダーツ用バレルの構成部品セット。
【請求項３】
前記外枠部品の筒孔は外枠部品の前端から後端までを貫通する貫通孔であると共に、筒孔の後部に、シャフトと連結するシャフト内螺子構造を有してなり、
前記芯部品の軸棒は、軸方向に連結可能に複数分割された複数本の各軸位置の分割軸棒と、各分割軸棒の連結部分の間に任意で挟まれて中間連結される一または複数個の丸ナットと、から構成され、
各軸位置の分割軸棒を、前記丸ナットを任意個数だけ連結部分に挟むか或いは挟まないで組合せることで、１本の芯部品が連結構成されるものであり、軸位置最後部の分割軸棒は周部に固定螺子を有し、この固定螺子が、前記シャフト内螺子構造の奥側へ連続螺子形成された余ネジ部に螺子固定される請求項２記載のダーツ用バレルの構成部品セット。
【請求項４】
前記外枠部品の筒孔は外枠部品の前端から後端までを貫通する貫通孔であると共に、筒孔の後部に、シャフトと連結するシャフト内螺子構造を有してなり、
前記芯部品の軸棒は、前端のチップ連結部より後部すべてが前記外枠部品内に収容される軸芯と、軸芯の前記収容される部分の外周に形成された螺子に螺合し軸芯の周囲を軸方向へ隣接して覆う複数個の丸ナットと、から構成され、
前記丸ナットは、質量の異なる複数種類の丸ナットから選択されたいずれかであり、
各軸位置に螺合する丸ナットを、前記複数種類のいずれかに選択して組合せることで、１本の芯部品が連結構成されるものであり、
また、軸位置最前部の丸ナットの前部には張出部を有する張り出しナットが連結され、
軸位置最後部の丸ナットの前部には周部に固定螺子を有した固定螺子ナットが連結され、この固定螺子ナットが、前記シャフト内螺子構造の奥側へ連続螺子形成された余ネジ部に螺子固定される請求項２記載のダーツ用バレルの構成部品セット。
【請求項５】
前記外枠部品の筒孔は外枠部品の前端から後端までを貫通する貫通孔であると共に、筒孔の後部に、シャフトと連結するシャフト内螺子構造を有してなり、
前記芯部品の軸棒は、軸方向に連結可能に複数分割された複数本の各軸位置の分割軸棒から構成され、
各軸位置の分割軸棒それぞれはまた、質量の異なる複数種類ずつを具備してなり、
これら複数種類のうち、各軸位置それぞれいずれか１種類ずつの分割軸棒を任意に組合せて１本の芯部品が連結構成されるものであり、軸位置最後部の分割軸棒は周部に固定螺子を有し、この固定螺子が、前記シャフト内螺子構造の奥側へ連続螺子形成された余ネジ部に螺子固定される請求項２又は３のいずれか記載のダーツ用バレルの構成部品セット。
【請求項６】
前記外枠部品の各軸位置の分割枠体それぞれはまた、バレル形状部又は質量の異なる複数種類ずつを具備してなり、
これら複数種類のうち、各軸位置それぞれいずれか１種類ずつの分割枠体を任意に組合せて１本の外枠部品が組み構成され、
また軸方向最前位置の分割枠体の枠外形端部は、所定の対軸すぼみ角をもって所定径に縮径してすぼみ形成されており、芯部品の張出部の後端の径と同じ径、および、張り出し角度と同じ角度となっている請求項２、３又は４のいずれか記載のダーツ用バレルの構成部品セット。
【請求項７】
組み合わせ状態の１本のバレル外形は、軸方向に沿って複数個の外周溝又は外周段差が形成されたものであり、
当該１本のバレル外枠部品に組み構成される前記複数本の分割枠体は、前記いずれかの外周溝のうち溝内又は溝縁、或いは前記いずれかの外周段差のうち段差側面又は段差の内角を境界として、軸方向に複数分割される請求項２、３、４又は５のいずれか記載のダーツ用バレルの構成部品セット。
【請求項８】
軸方向最前位置の分割枠体の枠外形端部は、所定の対軸すぼみ角をもって所定径に縮径してすぼみ形成されており、芯部品の張出部の後端の径と同じ径、および、張り出し角度と同じ角度となっている請求項１記載のダーツ用バレル。
【発明の詳細な説明】
【技術分野】
【０００１】
本発明は、ダーツゲーム（ソフトダーツ、ハードダーツのいずれも含む）に使用するダーツ矢（ダーツ）のうち、特にフライト、シャフト、バレル、チップを順に組み合わせて使用するダーツ矢のバレル部分を構成してチップ、シャフト等と分離可能な、ダーツ用バレルに関する。また、このようなダーツ用バレルの一部を構成するダーツ用バレルの構成部品を備えた構成部品セットに関する。
【背景技術】
【０００２】
従来、バレルの重量及び重心位置を自由に変更できるダーツとして、バレル内部には軸方向中央部の隔壁を挟んでその前後両側にバレルの両端に開口するネジ孔を形成し、チップの後端部にはバレルの前部側ネジ孔に螺合する取付用ネジ部を、シャフトの先端部には後部側ネジ孔に螺合する取付用ネジ部を夫々形成する一方、バレルの各ネジ孔に螺入可能で重量の異なる複数種類の錘片を設け、これら錘片を選択的にバレルの前部側ネジ孔及び後部側ネジ孔に螺入することによって、バレルの重量及び重心位置を変えるようにしたものが開示される（特許文献１参照）。
【０００３】
また従来、ダーツの重量と重心位置を一定の範囲内で任意に変更する事が可能なダーツとして、バレルを筒状に形成し、この筒状に形成したバレルの内部の任意な位置へ着脱可能に錘を装填する構成としたものが開示される（特許文献２参照）。このダーツにおいて、これらの錘は、バレルの内部へ着脱可能に装填する、ウレタンフォーム製からなるスペーサーや、コイルばねからなる弾性体スペーサーによって装填位置を保持するもの、とされる。
【先行技術文献】
【特許文献】
【０００４】
【特許文献１】特開２００８−１４２３９９号公報
【特許文献２】特開２００７−２０２８９３号公報
【発明の概要】
【発明が解決しようとする課題】
【０００５】
ここで一般的に、バレルは指への掛り具合が非常に重要なため、外形のデザイン（太さ、溝ないし段差を含む形状）と高質量化が重視されている。ところがバレルを高質量の単材で成形すると高価になってしまうという課題が存在していた。
【０００６】
また前記特許文献１、２に開示されるダーツのように、筒状に形成したバレルの内部に高質量の錘を螺入するものは、錘を任意位置に内部装填するという構造上、錘の前後に比較的大きな筒孔空間を確保したり、錘の収容のための遊びとなる隙間を確保したりする必要があり、これによりガタツキや位置ズレが生じる場合があった。また、ガタツキ等を無くために、単材成形の場合よりもさらにシビアな加工精度を得ることで高価になってしまう、という課題も存在していた。
【０００７】
また特に前記特許文献２では、各錘の保持固定のために、バレルの筒孔空間内にコイルばね又はウレタンフォームからなる弾性スペーサーを装填するものとしているが、これら弾性材は使用環境によって劣化する消耗材であり、バレルの内部で弾性材の劣化が進むと、結局ガタツキが生じてしまう。
【０００８】
そこで本発明は、比較的安価なものでありながらバレル外形のデザイン（太さ、溝ないし段差を含む形状）の選択をより容易とし、また、ガタツキや位置ズレが生じることがない比較的安価なダーツ用バレルを提供し、また、このようなダーツ用バレルの構成部品からなるダーツ用バレルセット、ないし、このようなダーツ用バレルを構成する構成部品を提供することを課題とする。
【課題を解決するための手段】
【０００９】
上記課題を解決すべく（１）〜（８）の手段を講じている。
（１）本発明のダーツ用バレルは、
先端側にチップ４が連結され、基端側にフライトＦ付きのシャフト３がシャフト前端の螺子棒にて連結されることでダーツ矢を構成するダーツ用バレルであって、
先端を除くバレル外形を有すると共に、前端の開口部から内部の軸方向に伸びる筒孔２０１，２０２・・・を有した筒状体からなり、かつ筒孔の少なくとも一部に、前記シャフト前端の螺子棒よりも長く螺子形成している内螺子構造２Ｉを有した筒状の外枠部品（２１，２２，・・・）と、
前記開口部から筒孔２０１，２０２・・・内に挿入されると共に筒孔２０１，２０２・・・内の内螺子構造２Ｉの一部に螺入固定される芯部品１（１１，１２・・・）とを具備し、この外枠部品と芯部品とが互いに組み構成されるものであり、
前記芯部品は、軸方向に伸長する軸棒の最先端に、前記外枠部品の前端の開口部よりも外周側に張り出した張出部１１Ｈが固設又は連結されてなり、
張出部１１Ｈが外枠部品の先端に圧接した状態で、軸棒１１，１２の前記軸方向区間の固定螺子１２Ｅが、筒孔内で所定の螺子締結力をもって螺入固定されることを特徴とする。
【００１０】
上記のように圧接され且つ螺入固定された固定状態の軸棒は、張出部１１の張出後面が外枠部品の先端に圧接したまま固定螺子１２Ｅの形成区間で螺子締結されており、先端の張出部１１Ｈの圧接反力によって軸力が確保されている。同時にこの状態の外枠部品は、張出部１１の張り出し後面の圧接力と、固定螺子１２の軸方向の螺子反力とによって挟まれた状態となって固定される。このような固定状態では、ダーツとして組み込まれたバレルが繰り返し投擲によって繰り返し内圧や外圧を受けても、芯部品と外枠部品とにガタツキが生じにくく、容易な固定手順でありながら、緩みにくい確実な固定状態を保持することができる。
また筒孔内は内螺子構造の螺入締め付けを主として固定しており、必ずしもバネ材等による突出係止構造を有さない。このため消耗性の弾性材を筒孔内に挿入しない限り、長期間固定状態を維持しても、消耗材の摩耗によるバネ材等の劣化の問題は生じない。
【００１１】
（２）本発明のダーツ用バレルの構成部品セットは、
先端側にチップ４が連結され、基端側にフライトＦ付きのシャフト３がシャフト前端の螺子棒にて連結されることでダーツ矢を構成するダーツ用バレルの構成部品として、
先端を除くバレル外形を有すると共に、前端の開口部から内部の軸方向に伸びる筒孔２０１，２０２・・・を有した筒状体からなり、かつ筒孔の少なくとも一部に、前記シャフト前端の螺子棒よりも長く螺子形成している内螺子構造２Ｉを有した筒状の外枠部品（２１，２２，・・・）と、
前記開口部から筒孔２０１，２０２・・・内に挿入されると共に筒孔２０１，２０２・・・内の内螺子構造２Ｉの一部に螺入固定される芯部品１（１１，１２・・・）とを、それぞれバレル外形部の形状、質量、ないし質量バランスのうちいずれかが異なる複数種類ずつ具備してなり、
これら複数種類のうちいずれかの外枠部品と、いずれかの芯部品とを、任意の組合せで1本のダーツ用バレルとして組み構成されるものであり、
前記複数個の芯部品は、軸方向に伸長する軸棒の最先端に、前記外枠部品の前端の開口部よりも外周側に張り出した張出部１１Ｈが固設又は連結されてなり、
張出部１１Ｈが外枠部品の先端に圧接した状態で、軸棒１１，１２の前記軸方向区間の固定螺子１２Ｅが、筒孔内で所定の螺子締結力をもって螺入固定されることを特徴とする。
【００１２】
上記のように、一または複数の外枠部品と複数の芯部品からなるバレル構成部品セットにおいて、複数の外枠部品間ないし複数の芯部品間で、質量の大きさの異なるもの、或いは軸方向の質量バランスの異なるもの、或いはバレル外形の異なるもの、の少なくともいずれかをそれぞれ識別可能に予め備えておくことで、任意の外枠部品と芯部品をそれぞれ選択して、質量の大きさや質量バランス、ないしバレル外形を交換調整可能なものとすることができる。
そして、質量の異なる複数の外枠部品と、質量の異なる複数の芯部品とを予め具備してなる選択可能なバレル構成部品セットにおいて、これらのいずれか任意の外枠部品と任意の芯部品とを組み合わせて使用することで、バレルの質量バランスを調整することができる。
また、バレル外形部（バレルとして組み構成したときに露出する外形の形成部分；例えば溝数や太さ、長さ）の異なる複数の外枠部品と、質量の異なる複数の芯部品とを予め具備してなる選択可能なバレル構成部品セットにおいて、これらのいずれか任意の外枠部品と任意の芯部品とを組み合わせて使用することで、バレルの質量の大きさないし質量バランスを任意のものにしながら、外形を選択設定することができる。
【００１３】
（３）前記ダーツ用バレルにおいて、
前記外枠部品の筒孔は外枠部品の前端から後端までを貫通する貫通孔であると共に、筒孔の後部に、シャフトと連結するシャフト内螺子構造を有してなり、
前記芯部品の軸棒は、軸方向に連結可能に複数分割された複数本の各軸位置（軸前方位置、軸中央位置、軸後方位置等）の分割軸棒１１，１２・・・から構成され、
各軸位置の分割軸棒それぞれはまた、質量の異なる複数種類ずつを具備してなり、
これら複数種類のうち、各軸位置それぞれいずれか１種類ずつの分割軸棒を任意に組合せて１本の芯部品が連結構成されるものであり、
軸位置最後部の分割軸棒は周部（の後部近傍）に固定螺子１２Ｅを有し、この固定螺子１２Ｅが、前記シャフト内螺子構造の奥側へ連続螺子形成された余ネジ部２２Ｉに螺子固定されることが好ましい。
芯部品を各軸位置の分割軸棒に分割構成し、各軸位置それぞれ複数種類の質量の分割軸棒を予め用意することで、各軸位置それぞれ任意の種類の分割軸棒を選択して組み合わせ、連結することが可能となる。このような任意種類の組み合わせにより、芯部品全体の質量の大小や質量バランスの調整が可能となる。なお質量の大小の調整とは例えば、質量の大きい又は小さい分割軸棒のみを組み合わせて全体が高質量又は低質量なものにすることをいう。なお質量バランスの調整とは例えば、軸前方位置の分割軸棒を軸後方位置の分割軸棒よりも高質量又は低質量のものとして組み合わせて前重心寄り又は後重心寄りのものとすることをいう。
【００１４】
また各軸位置を連結して一本の芯部品に一体化可能とし、かつ最後軸位置の分割軸棒を、筒孔の後部の余ネジ部２２Ｉに螺子固定することで、前端軸位置の軸棒に固設又は連結された張出部の圧接と共に、組合せ連結した芯部品をその前後端近傍で外枠部品に固定し、芯部品に軸力のかかった固定状態を維持することができる。
またシャフト内螺子構造の奥側には、シャフト先端のネジ長の誤差に対応すべく余ネジ部２２Ｉが設けられているところ、この余ネジ部を利用してここに芯部品の固定螺子を孔前方側から螺子固定するようにしている。これにより、芯部品の内部固定のための固定構造を別途設ける必要がなくなり、また軸方向の内螺子加工範囲が集積することとなるため、内螺子加工の手間を削減し、ひいては加工精度を向上させることができる。
【００１５】
また芯部品と外枠部品の固定状態において、芯部品は前端付近の張出部の圧接と、後端付近の固定螺子の固定とによって軸力を受けた状態で外枠部品に固定されると共に、外枠部品は芯部品の張出部と固定螺子とによって軸方向の圧縮力を受けた状態で挟み込まれて固定される。この固定状態においては、固定螺子の固定位置をバレルのより軸後部位置に配置して、芯部品のより長い軸棒距離で軸力を受け、外枠部品のより長い軸距離で圧縮力を受けるようにすることで、均等な内圧のかかった安定性のある固定状態とすることができる。
【００１６】
（４）前記いずれかのダーツ用バレルの構成部品セットにおいて、前記外枠部品の筒孔は外枠部品の前端から後端までを貫通する貫通孔であると共に、筒孔の後部に、シャフトと連結するシャフト内螺子構造を有してなり、
前記芯部品の軸棒は、前端のチップ連結部より後部すべてが前記外枠部品内に収容される軸芯１００と、軸芯１００の前記収容される部分の外周に形成された螺子に螺合し軸芯１００の周囲を軸方向へ隣接して覆う複数個の丸ナット１４と、から構成され、
前記丸ナット１４は、質量の異なる複数種類の丸ナット１４Ａ、１４Ｂ・・・から選択されたいずれかであり、
各軸位置に螺合する丸ナット１４を、前記複数種類のいずれかに選択して組合せることで、１本の芯部品が連結構成されるものであり、
また、軸位置最前部の丸ナットの前部には張出部１１Ｈを有する張り出しナット１１０Ｈが連結され、
軸芯１００の軸位置最後端には短ナットからなる固定螺子ナット１２０Ｅが段状に張り出して固着され、この固定螺子ナット１２０Ｅが、前記シャフト内螺子構造の奥側へ連続螺子形成された余ネジ部２２Ｉに螺子固定されることが好ましい。
上記構成は芯部品自体のバランス調節を、軸芯１００の大部分長さに亘る丸ナットの連続装着によって可能としたものであり、後述の実施例５（図１０）に対応する。但し、このバランス調整後の芯部品と、前記いずれかの構成の外枠部品と組み合わせることで、より自由度の高い質量バランスないし形状のアレンジが可能である。
【００１７】
（５）前記いずれかのダーツ用バレルの構成部品セットにおいて、前記外枠部品の筒孔は外枠部品の前端から後端までを貫通する貫通孔であると共に、筒孔の後部に、シャフトと連結するシャフト内螺子構造を有してなり、
前記芯部品の軸棒は、軸方向に連結可能に複数分割された複数本の各軸位置の分割軸棒１１，１２・・・から構成され、
各軸位置の分割軸棒それぞれはまた、質量の異なる複数種類ずつを具備してなり、
これら複数種類のうち、各軸位置それぞれいずれか１種類ずつの分割軸棒を任意に組合せて１本の芯部品が連結構成されるものであり、軸位置最後部の分割軸棒は周部（の後部近傍）に固定螺子１２Ｅを有し、この固定螺子１２Ｅが、前記シャフト内螺子構造の奥側へ連続螺子形成された余ネジ部２２Ｉに螺子固定されることが好ましい。
上記構成は芯部品自体のバランス調節を、複数に分割した分割軸棒１１，１２・・・の軸方向への組み合わせによって可能としたものであり、後述の実施例１〜４（図１〜図９）に対応する。但し、このバランス調整後の芯部品と、前記いずれかの構成の外枠部品と組み合わせることで、より自由度の高い質量バランスないし形状のアレンジが可能である。
【００１８】
（６）前記いずれかのダーツ用バレルの構成部品セットにおいて、外枠部品は、軸方向に複数分割された複数本の分割枠体から構成され、隣り合う分割枠体は、前端と後端の各当接面同士が当接することでバレル外形を構成し、
各軸位置の分割枠体それぞれはまた、バレル形状部又は質量の異なる複数種類ずつを具備してなり、
これら複数種類のうち、各軸位置それぞれいずれか１種類ずつの分割枠体を任意に組合せて１本の外枠部品が組み構成されることが好ましい。
外枠部品を各軸位置の分割枠体に分割構成し、各軸位置それぞれ複数種類の分割枠体を予め用意することで、各軸位置それぞれ任意の種類の分割枠体を選択して組み合わせ、連結することが可能となる。このような任意種類の組み合わせにより、外枠部品全体のバレル外形の調整や質量の大小や質量バランスの調整が可能となる。
特に、前記質量の異なる複数種類の分割軸棒の組み合わせが可能な芯部品と、上記質量の異なる複数異種類の分割枠体の組み合わせが可能な外枠部品とを組み合わせた構成部品セットとすることで、質量バランスの調整の自由度を格段に高めることができる。
また軸方向最前位置の分割枠体の枠外形端部は、所定の対軸すぼみ角をもって所定径に縮径してすぼみ形成されており、芯部品の張出部の後端の径と同じ径、および、張り出し角度と同じ角度となっていてもよい。
【００１９】
（７）前記いずれかのダーツ用バレルの構成部品セット又はダーツ用バレルにおいて、組み合わせ状態の１本のバレル外形は、軸方向に沿って複数個の外周溝又は外周段差が形成されたものであり、
当該１本のバレル外枠部品に組み構成される前記複数本の分割枠体は、前記いずれかの外周溝のうち溝内又は溝縁、或いは前記いずれかの外周段差のうち段差側面又は段差の内角を境界として、軸方向に複数分割されることが好ましい。
分割枠体の分割境界を、バレル外形に形成された外周溝又は外周段差内に設定することで、分割枠体同士が組み構成されたときに当接境界が目立たず体裁のよいバレルとなり、また分割境界による余分な指への引っ掛かりがないため、分割構成による投擲性への影響のないバレルとなる。
（８）また軸方向最前位置の分割枠体の枠外形端部は、所定の対軸すぼみ角をもって所定径に縮径してすぼみ形成されており、芯部品の張出部の後端の径と同じ径、および、張り出し角度と同じ角度となっているダーツ用バレルとしてもよい。
【発明の効果】
【００２０】
上記手段により、バレル外形を形成する枠部品と枠部品内に挿入される芯部品とでバレルを組み構成したことから、バレル外形のデザインを比較的安価な枠部品で構成することで、全体としても比較的安価なものでありながら、好みに応じたバレル外形（太さ、溝ないし段差を含む形状）の選択がより容易となる。また、芯部品先端の張出部とガタツキや位置ズレが生じることがない比較的安価なダーツ用バレルを提供し、また、このようなダーツ用バレルを備えたダーツ矢、ないし、このようなダーツ用バレルを構成する構成部品を提供することを課題とする。
【図面の簡単な説明】
【００２１】
【図１】  実施例１のバレルの分解構成図
【図２】  実施例１の芯部品の組図
【図３】  実施例１のバレルを含むダーツの分解構成図。
【図４】  参考例のバレルの分解構成図
【図５】  参考例のバレルを含むダーツの分解構成図。
【図６】  実施例３のバレルの分解構成図
【図７】  実施例３のバレルの組図。
【図８】  実施例４の芯部品の分解構成図（ａ）及び２通りの組図（ｂ）（ｃ）。
【図９】  実施例４の芯部品の分解構成図及びそのα部分拡大図。
【図１０】  実施例５の芯部品の分解構成図（ａ）、芯部品の組図（ｂ）、及び芯部品と外枠部品の分解構成図（ｃ）。
【発明を実施するための形態】
【００２２】
以下、本発明を実施するための形態例につき実施例として示す各図と共に説明する。いずれの実施例においても、本発明のダーツ用バレルは、チップ４と連結する先端螺合構造を先端側に有すると共にシャフトと連結する内螺子構造２Ｉを基端側に有した固定状態となる（図３の中央部品、及び図７参照）。そして、固定状態のダーツ用バレルがチップ、シャフト、フライトと共に連結されることで、ソフトダーツまたはハードダーツのダーツ矢を構成する（図３参照）。またいずれの実施例においても、固定状態となり得るダーツ用バレルの構成部品として、基本的に、
・先端を除くバレル外形部と、前端の開口から内部の軸方向に伸びる筒孔２Ｓと、筒孔２Ｓ内に形成された内螺子構造２Ｉ（２２Ｉ，２３Ｉ）と、を有した筒状体からなる外枠部品２（２１，２２，・・・）と、
・前記外枠部品２の筒孔２Ｓ内に挿入可能な軸棒１１，１２・・・と、軸棒１１，１２・・・の先端にて筒孔２Ｓの前端部の孔径よりも大径に張り出した張出部１１Ｈと、軸棒の（好ましくは中央寄りないし基端寄りのいずれかの軸方向区間の）外周に形成された固定螺子１２Ｅとを有した芯部品１（図２）と、を具備する。
【００２３】
そして本発明のダーツ用バレルは、上記各種構成部品から構成され、上記外枠部品と芯部品とは、芯部品を外枠部品の前端開口から筒孔内に挿入して固定螺子で螺入固定することで、組み構成された固定状態となる（図３の中央部品）。この固定状態では、前記芯部品の固定螺子が筒孔内の内螺子構造に螺合し、かつ張出部１１Ｈの後端が筒孔の開口縁又はその近傍周縁に圧接された状態となる。
【００２４】
また、本発明のダーツ用バレルの構成部品セットは、上記外枠部品２（２１，２２，・・・）と、上記芯部品１とを構成部品とし、バレル外形部の外形形状、部品質量の大きさ、又は部品の軸方向の質量バランスの少なくともいずれかが異なる複数種類の構成部品から構成される。
そして、これらのうちいずれか１本の外枠部品といずれか１本の芯部品とを任意に選択したときに、いずれの組み合わせの場合であっても、芯部品を、外枠部品の前端開口から筒孔内に挿入し固定螺子で固定することで、固定状態にまで組み構成することが可能となっている。組み構成された固定状態では、前記芯部品の固定螺子が筒孔内の内螺子構造に螺合し、かつ張出部１１Ｈの後端が筒孔の開口縁又はその近傍周縁に圧接された状態となる。
【００２５】
このような組み構成の方式とすることで、比較的容易に組み構成して固定状態とすることができ、固定状態において余分なガタツキがなく、繰り返し振動や衝撃を受けつづけるダーツ矢の投擲に繰り返し使用しても緩みや摩耗の起こりにくいものとなっている。また、内外の部品同士を挿入によって組み構成可能とすることで、消耗の激しい部分の部品のみを交換することでバレル全体を交換しなくても修理又は改良することが可能となる。
また構成部品セットとして、内孔の前開口径、張出部の最小張出量、及び軸棒の外径を共通なものとしつつ、外形ないし質量の異なる複数種類を用意した場合には、好みの外形の外枠部品に交換したり好みの重心バランスにバランス調整したりする等、挿入性と組合せの自由度がきわめて大きなものとなる。また外枠部品に比較的安価で成形性の高い材料を用いた場合でも、高質量材からなる芯部品と組み合わせて構成することで、高質量化とデザインの自由性と製造原価をすべて満たす製品とすることもできる。
【００２６】
さらに、芯部品または外枠部品のうち少なくとも外枠部品を、複数の軸方向部分に分割構成して分離可能とし、各軸方向部分の部品同士を組み構成可能とすることで、軸方向にも任意の部品を交換して組み合わせることが可能となり、バレル全体を交換しなくても修理又は改良することができると共に、各軸方向部分の部品を外形又は質量の異なる複数種類ずつ用意したバレル構成部品セットとして、組合せの自由度が高いバレルを得ることができる。以下、各実施例の構成につき詳述する。
【実施例１】
【００２７】
図１〜３に示す実施例１のダーツ用バレルは、図１に示す第一分割軸棒１１，第二分割軸棒１２、第一分割枠体２１、第二分割枠体２２の四つの構成部品から構成される。このうち第一分割軸棒１１と第二分割軸棒１２とを連結して、図２に示す連結状態の芯部品となる。なお、図２は芯部品の側面図（図２ａ）、及び背面図（図２ｂ）を表す。また第二分割枠体２１と第二分割枠体２２は軸方向前後に当接した状態で、バレル外形の前端以外の大部分を有した外枠部品を構成する。
この外枠部品の前端の開口から筒孔内へ、図２に示す芯部品の軸棒を挿入して、第二分割軸棒の後端外周に形成した固定螺子を筒孔後端の内螺子構造に螺入することで、芯部品と外枠部品とを図３に示すような固定状態とする。この固定状態では、第一分割軸棒の張出部後端が外枠部品に圧接し、この状態のまま、連結した一本の芯部品最後軸位置の第二分割軸棒を、筒孔の後部の余ネジ部２２Ｉに螺子固定している。このため、組合せ連結した芯部品をその前後端近傍で外枠部品に固定していることとなり、芯部品の軸方向全体に軸力が均一にかかった状態となっている。
【００２８】
図３は、固定状態としたダーツ用バレルの先端の固定穴１１Ｈからその内部のチップ固定螺子１１Ｉにチップ後端の螺子棒４１Ｅを螺子連結し、また、固定状態としたダーツ用バレルの後端の内螺子構造であるシャフト固定螺子２３Ｉに、シャフト前端の螺子棒３Ｅを螺子連結する際の状態を示している。なおシャフト３の後部にはフライトＦが連結されている。
（芯部品）
芯部品１の軸棒は、軸方向に連結可能に複数分割された軸前方位置、軸後方位置からなる２つの各軸位置の分割軸棒、すなわち第一分割枠棒１１，第二分割軸棒１２から構成される（図２）。
このうち第一軸棒１１の最先端には、外枠部品の前端の開口部よりも外周側へ部分円錐状に張り出した張出部１１Ｈが固設されてなる。この張出部１１Ｈは固定状態のバレル外形の前端部分を構成しており、実施例では部分円錐体状に張り出して張出後端部にて軸に対する斜めの張出角１１Ｈθを有している。張出部の後端は壁面となっており、芯部品１と外枠部品２とが固定状態とされるとき、この後端部が外枠部品の前端の開口に当接し、当接面同士が固定螺子の螺子力に基づき所定の軸力をもって圧接される。
【００２９】
第一軸棒は後端に外螺子を有する連結軸棒１１Ｅが突出形成され、第二軸棒の連結軸穴１２Ｉに螺入連結可能となっている。また第二軸棒はその前端に、前記連結軸棒１１Ｅが螺入可能な内螺子を有する連結軸穴１２Ｉが穿穴形成される。これら連結軸棒１１Ｅと連結軸穴１２Ｉは、第二分割軸棒後端の固定螺子１２Ｅと同じ螺子回転方向で螺子接合されるものとなっている。
また第二軸棒の後端面には直線状の浅溝からなるスリ割り１２Ｄが形成されており（図１、図２）、内螺子構造への固定螺子の固定力が小さい時にこのスリ割り部へ増し締め用の操作片（−形状のスクリュードライバー、マイナスレンチ等）を差し込んで増し締めを行うことで、より確実なネジ力での螺子固定が可能となる。
【００３０】
また第二軸棒の後部近傍であって固定螺子１２Ｅの形成区間の前端には弾性体からなるリング状の周突起１２Ｒが設けられており、この周突起１２Ｒが弾性反力によって筒孔２Ｓの孔内面に圧接して芯部品の外枠部品内での位置をより確実に固定するものとしている。
【００３１】
（固定状態）
芯部品の張出部１１Ｈが外枠部品の先端に圧接した状態で、軸棒１１，１２の前記軸方向区間の固定螺子１２Ｅが、筒孔内で所定の螺子締結力をもって螺入固定される。
このとき、軸位置最後部の第二分割軸棒は、軸棒の後端の周部に固定螺子１２Ｅを有し、この固定螺子１２Ｅが、シャフトと連結するシャフト内螺子構造の奥の余ネジ部２２Ｉに螺子固定される。余ネジ部２２Ｉとは、シャフトのネジ長の公差を鑑みて予め長めに形成している孔奥側の予備的螺子形成部分である。この余り部分は本来、バレル後端からシャフトの外螺子を螺入するための内螺子構造であるが、この余ネジ部に螺子孔前端から挿入した芯部品の固定螺子を固定することで、余ネジ区間を有効活用できると共に、ダーツ矢としてシャフトを固定した状態で内部の余分な余り空間を最小限にとどめることができる。
【００３２】
（外枠部品）
外枠部品の筒孔は、外枠部品の前端から後端までを貫通する貫通孔であると共に、筒孔の後部に、シャフトと連結するシャフト内螺子構造を有してなる。シャフト内螺子構造の奥には、第二軸棒後端の固定螺子が孔内前方（孔奥側）から螺入可能な余ネジ部２２Ｉが形成される。
外枠部品は、軸方向に複数分割された第一分割枠体、第二分割枠体から構成され、隣り合う分割枠体は、前端と後端の各当接面同士が当接することでバレル外形を構成する。
【００３３】
このうち軸方向最前位置の第一分割枠体の枠外形端部は、所定の対軸すぼみ角２Ｔθをもって所定径に縮径してすぼみ形成されており、芯部品の張出部の後端の径と同じ径、および、張り出し角度１１Ｈθと同じ角度になっている。これにより、固定状態となったときにこの枠外形端部の前端が張出部１１Ｈの後端と当接し、張出部と枠外形前端部とが一体的に滑らかなバレル外形を呈するように成形されている（図３）。
【００３４】
上記実施例の隣り合う軸位置の分割軸棒１１，１２・・・同士は、いずれも螺子棒１１Ｅと螺子穴１２Ｉとからなる螺合構造によって分離可能に軸連結される。
また最後部の分割枠体の筒孔の後部近傍には、シャフトと連結するシャフト内螺子構造と余ネジ部２２Ｉとが、後端開口側から奥側へ順に連続螺子形成され、前記内螺子構造の形成部分を除く各分割枠体の筒孔は、芯部品が摺動可能な滑面から構成される。
【００３５】
（構成部品セット）
各軸位置の分割軸棒である第一分割軸棒、第二分割軸棒それぞれはまた、質量の異なる複数種類ずつを具備してなる。例えば高質量体からなる第一分割軸棒、低質量体からなる第一分割軸棒、高質量体からなる第二分割軸棒、低質量体からなる第二分割軸棒の合計４部品を具備してなる。そしてこれら複数種類（例えば４種類）のうち、各軸位置それぞれいずれか１種類ずつの分割軸棒を任意に組合せて１本の芯部品が連結構成される。このとき、質量の大小の組み合わせによって全体が高質量の芯部品、全体が低質量の芯部品、軸方向前方位置が後方位置よりも高質量すなわち前重心の芯部品、軸方向前方位置が後方位置よりも低質量すなわち後重心の芯部品、の４種類の芯部品を組み構成可能である。
【００３６】
また、各軸位置の分割枠体である第一分割枠体、第二分割枠体それぞれはまた、質量の異なる複数種類ずつを具備してなる。例えば高質量体からなる第一分割枠体、低質量体からなる第一分割枠体、高質量体からなる第二分割枠体、低質量体からなる第二分割枠体の合計４部品を具備してなる。そしてこれら複数種類（例えば４種類）のうち、各軸位置それぞれいずれか１種類ずつの分割枠体を任意に組合せて１本の外枠部品が連結構成される。このとき、質量の大小の組み合わせによって全体が高質量の外枠部品、全体が低質量の外枠部品、軸方向前方位置が後方位置よりも高質量すなわち前重心の外枠部品、軸方向前方位置が後方位置よりも低質量すなわち後重心の外枠部品、の４種類の外枠部品を組み構成可能である。
【００３７】
上記のように、芯部品及び外枠部品を各軸位置に分割構成し、各軸位置それぞれ複数種類の質量の分割体を予め用意することで、各軸位置それぞれ任意の種類の分割軸棒や分割枠体を選択して組み合わせ、連結することが可能となる。このような任意種類の組み合わせにより、バレル全体の質量の大小や質量バランスの微調整が可能となる。ここで質量の大小の調整とは例えば、質量の大きい又は小さい分割軸棒のみを組み合わせて全体が高質量又は低質量なものにすることをいう。また質量バランスの調整とは例えば、軸前方位置の分割軸棒を軸後方位置の分割軸棒よりも高質量又は低質量のものとして組み合わせて前重心寄り又は後重心寄りのものとすることをいう。
【参考例】
【００３８】
図４，５に示す参考例のダーツ用バレルの構成部品は、軸方向前方位置、後方位置からなる二つの分割軸棒（第一軸棒１１、第二軸棒１２）と、一体形成された外枠部品と、から構成される。
参考例の前端の第一軸棒１１はチップ固定螺子棒１０Ｅが前端に突出形成されると共に、後端に連結螺子棒１１Ｅが突出形成される。これは螺子穴４Ｉを有するチップ４と連結するための構成であり、参考例のように構成することで、第一軸棒１１と第二軸棒１２の容積を均等なものに近づけることができる。第一軸棒１１と第二軸棒１２とを特定の２種類の質量材で構成しかつ同容積で構成すると、芯部品全体の質量バランスの調整が簡易となる。他の特記しない構成は実施例１と同様である。
【実施例３】
【００３９】
図６，７に示す実施例３のダーツ用バレルの構成部品は、軸方向前方位置、中央位置、後方位置からなる三つの分割軸棒（第一軸棒１１、中央軸棒１３、第二軸棒１２）と、軸方向前方位置、中央位置、後方位置からなる三つの分割枠体（第一分割枠体２１、第二分割枠体２２、第三分割枠体２３）と、から構成される。実施例３の分割枠体は、前方から順に、外形状によって各分割枠体が２段階の段差が連続形成された段差付き部、滑らかな枠外形からなるストレート部、斜め方向の傾斜拡径部が細かい溝を介して連続する連続溝形成部、によって形成されており、特定の分割外形となるように分割したものである。
実施例３のダーツ用バレルの構成部品セット、及びこのセットの構成部品によって構成されるダーツ用バレルにおいて、組み合わせ状態のバレル外形は、軸方向前部に複数個の外周溝２３０，２３１，２３２，２３３が形成され、かつ軸方向後部に複数個の外周段差が形成されてなる。
【００４０】
このうち前端から一つ目の外周溝２３０迄の部分は、張出部１１Ｈによって形成され、前部２つ目から３つめまでの外周溝２３３の部分は、すべて第一分割枠体の外形として形成され、後部の外周段差のすべては、すべて第三分割枠体の外形として形成される。
そして、バレル外枠部品の前部として組み構成される前記第一分割枠体は、バレル外形を構成する外周段差のうち段差の内角後端を境界として、第二分割枠体のストレート部の外形体に当接可能に分割される。また、バレル外枠部品の後部として組み構成される前記第三分割枠体は、バレル外形を構成する外周溝のうち溝の前縁を境界として、第二分割枠体のストレート部の外形体に当接可能に分割される。他の特記しない構成は実施例１と同様である。
【００４１】
上記形態のほか、外枠部品及び芯部品１は、第一質量材、第二質量材、・・・からなる互いに異質量の複数個ずつの同形体から構成され、かつ、
芯部品１の軸棒は、軸方向に複数分割された、互いに同容積の複数本の分割軸棒から構成され、
バレル外枠部品は、軸方向に複数分割された、互いに同容積の複数本の分割枠体から構成されるものとしてもよい。
本発明は基本構成として、「バレル外枠（カバー）部品」と「挿入式コア部品」とを組合せた着せ替え可能な構成とし、「挿入式コア部品」は、複数材のネジ連結式 (ロケット連結）でバランス調整可能な構成としている。
【００４２】
また具体的構成として、シャフト連結用の後端雌ネジのネジ余り部分を利用してコアを連結しており、軸方向に２分解した分解コアＡＢをネジ連結可能とし、ＡＢそれぞれ質量の異なるものを複数個ずつ用意する。これにより、高価材のコア部品と、好みのデザインの安価カバー部品とを組合せることで、高デザイン性かつ安価な（好みのデザイン/好みの重量バランスの）バレルを作ることが可能になる。また分解コアの組み合わせで、重量バランス／全体の重量を変えることができる。
コア部品、カバー部品をそれぞれ複数個用意して交換可能にすると、任意形状、任意質量、ないし任意の質量バランスのバレルが得られる。
例えば実施例のように第一質量、第二質量の前芯部品、第一質量、第二質量の後芯部品、第一質量、第二質量の前外枠部品、第一質量、第二質量の後外枠部品の４形状８種類を用意した場合には、
前重心、やや前重心、センター重心、やや後重心、後重心の組み合わせが得られる。
【実施例４】
【００４３】
図８、９に示す実施例４のダーツ用バレルの構成部品は、軸方向前方位置、及び軸方向後方位置からなる二つの軸方向位置の分割軸棒（第一軸棒１１、第二軸棒１２）と、これら二つの分割軸棒（第一軸棒１１、第二軸棒１２）の間に挟まれる０個ないし１個以上の丸ナット１４と、からなる軸部品である。このうち丸ナット１４の数は、必要とする質量ないし質量バランスに応じて調節できる。すなわち実施例４の芯部品は、図８（ａ）（ｂ）に示すように、第一軸棒１１，第二軸棒１２の間に１個の丸ナット１４のみを挟んでなる３構成を組み合わせたものでもよく、或いは図８（ｃ）及び図９に示すように、第一軸棒１１，第二軸棒１２の間に２個の丸ナット１４を挟んでなる４構成を組み合わせたものでもよい。３構成の組み合わせ状態では、芯部品全体長が比較的短くかつ質量が比較的小さい芯部品となり、４構成の組み合わせ状態では、芯部品全体長が比較的長くかつ質量が比較的大きい芯部品となる。また５構成以上を組み合わせた芯部品としてもよく、或いは丸ナットを除いた第一軸棒、第二軸棒のみを組み合わせた芯部品としてもよい。
【００４４】
実施例４の分割枠体として、図１、図３に示す実施例１の前後２分割の分割枠体（第一分割枠体２１，第二分割枠体２２）、或いは図５に示す参考例の枠体、或いは図６に示す実施例３の分割枠体のいずれか一つ以上を選択して構成される。このうち軸方向最後部の枠体ないし分割枠体は、各実施例と同様の内螺子構造２Ｉが内部形成され、この内螺子構造の前方寄りの余ネジ部が、第二軸棒１２の後端の固定螺子１２Ｅと螺合する。
【００４５】
また実施例４のダーツ用バレルの構成部品セット、及びこのセットの構成部品によって構成されるダーツ用バレルにおいては、複数種類の第一分割枠体、第二分割枠体の組み合わせによって、外枠部品全体の枠長さを選択調節できるものとなっている。そして外枠部品全体の枠長さに応じて、前記芯部品の構成数を選択して外枠部品に応じた芯部品を調整構成することができる。
【００４６】
或いは、一種類の組み合わせの外枠部品において、内螺子構造の余ネジ部は予め長めに形成されることで、前記芯部品の任意構成数を１個乃至複数個のいずれにした場合でも、後端の固定螺子１２Ｅを、第二分割枠体２２内部の内螺子構造に螺合させることができる。これにより、芯部品を後端に隙間を以て収容した前重心寄りのバレルの組み合わせにするといった、前重心の強さをバランス調整することが可能である。
【００４７】
実施例４の第一軸棒は、最先端に、外枠部品の前端の開口部よりも外周側へ、斜めの張出角１１Ｈθで部分円錐状に張り出した張出部１１Ｈが固設されてなり、その後部直近に、第一軸棒本体部よりも小径の短柱状に形成された細首部１１１Ｎ／１１Ｎが形成され、この細首部１１１Ｎ／１１Ｎの後端から円柱の第一軸棒本体部が連なり、そして第一軸棒本体部の後端に、外螺子を有する連結軸棒１１Ｅが突出形成される。図８（ａ）に示すように、連結軸棒１１Ｅの突出基部には、弾性材からなるリング状の周突起１１Ｒが取り付けられたものとしてもよい。
【００４８】
このうち細首部１１Ｎ／１１１Ｎは、図９に示すように、小径の円柱の前端が側面視アール状の拡径部１１ＨＲとなって張出部１１Ｈと連なっており、この拡径部１１ＨＲは、第一軸棒本体部の外形線１１０Ｌよりも内側寄りに形成される。すなわち拡径部１１ＨＲが外形線１１０Ｌよりも外方へ張り出すことなく形成されることで、張出部１１Ｈの後端の壁面が、外形線１１０Ｌよりも外方の範囲で、余分な突起の無い平面状の当り面を構成することとなる。これにより、張出部１１Ｈの後端面と枠部品の前端面とが、隙間なくより正確に当接し圧接することが可能となり、外枠部品と芯部品との組み合わせ構成の精度を上げることができるものとなる。そして、張出部１１Ｈと外枠部品の前端とは、互いに同じ張出角１１Ｈθを以て滑らかに連なって固定状態のバレル外形の前端部分を構成することとなる。他の特記しない構成は実施例１と同様である。
【実施例５】
【００４９】
図１０に示す実施例５のダーツ用バレルの芯部品は、全螺子棒からなる１本の細軸棒の全長に亘って複数個の丸ナット１４０Ａ／１４０Ｂを連装着可能な構成としている。また実施例５の外枠部品は前後に２分割された前枠部と後枠部とが当接するように組み構成され、組み構成された外枠部品の筒孔は前端から後端までを貫通する貫通孔であると共に、筒孔の後部に、シャフトと連結するシャフト内螺子構造を有してなる。
【００５０】
すなわち実施例５の芯部品の軸棒は、
前端に軸方向突出したチップ連結棒１０Ｅから同径かつ同ピッチで後方へ連なる全螺子棒からなると共にその最後部に固定螺子ナット１２０Ｅが段状に張り出し固着された１本の軸芯１００と、
軸芯１００の前記収容される部分の外周に形成された全螺子部の大部分の長さに亘って複数個が隣接螺合され、軸芯１００の全螺子部の周囲の大部分を覆う複数個の丸ナット１４と、
軸芯１００の全螺子棒の軸位置最前部に螺合される、張出部１１Ｈを有した部分円錐状の１個の張り出しナット１１０Ｈと、から構成される。
【００５１】
実施例５の軸芯１００は、前端のチップ連結部が外枠部品の前方に突出形成され、このチップ連結部から同径同ピッチの外螺子を有する全螺子棒が後方へ連なり、そして全螺子棒の後端には段差状に拡径した短ナットからなる固定螺子ナット１２０Ｅが段状に張り出して固着される。固定螺子ナット１２０Ｅはナット前端面が平面状となるように成形された、全螺子棒よりも大径の短ナットからなり、全螺子部の後端に、段状に張り出すように固着される。この固定螺子ナット１２０Ｅの周面には固定螺子１２Ｅが形成され、シャフトと連結するシャフト内螺子構造の奥の余ネジ部２２Ｉに螺子固定される。この軸芯１００は、先端のチップ連結部を除く全螺子棒から後端の螺子固定部１２０Ｅまでのすべてが前記外枠部品内に収容され、後端の螺子固定ナット１２０Ｅによって外枠部品内に螺子固定される。実施例５の丸ナット１４は、質量の異なる複数種類の丸ナット１４Ａ、１４Ｂ・・・から選択されたいずれかであり、各質量の丸ナット１４Ａ，１４Ｂ・・・はそれぞれ、軸芯１００の全螺子棒の全長に亘る個数分だけ用意される。そして各軸位置に螺合する丸ナット１４を、全螺子棒の全長に亘る個数分だけ、前記複数種類のいずれかに選択して組合せることで、１本の芯部品が連結構成される。そして軸芯１００の全螺子棒の軸位置最前部には、部分円錐状の張り出しナット１１０Ｈが、最前部に取り付けられた丸ナットに前方隣接して一つだけ螺合連結される。
【００５２】
そして実施例５の芯部品は、固定螺子ナット１２０Ｅを後端に固着した小径の１本の軸芯１００の周りに、質量の異なる複数種類ずつの丸ナット（重量丸ナット１４Ａ，軽量丸ナット１４Ｂ，・・・）のいずれかと、ナット状に構成された張出ナット１１０Ｈとを、全長に亘って隣接装着して組み構成する。具体的にはこれら複数種類のうち、各軸位置それぞれいずれかの質量の丸ナット１４Ａ／１４Ｂ複数個と、いずれかの質量の張り出ナット１１０Ｈ一個とを、全螺子棒の全長に亘って任意に組合せて１本の芯部品が連結構成する。例えば図１０（ａ）または（ｂ）に示すように、最後部の第十一ナットＮ１１としていずれかの種類の張り出しナット１４Ａ／１４Ｂを、固定螺子ナット１２０Ｅのナット前面に当接するように隣接装着し、続いてその前部に第十ナットＮ１０としていずれかの種類の張り出しナット１４Ａ／１４Ｂを隣接装着し、その後同様にして、第九ナットＮ９から第二ナットＮ２までを順に隣接装着し、最後に最前部に第一ナットＮ１として張り出しナット１１０Ｈを装着する。軸方向各位置に装着されるナット（第一ナットＮ１，第二ナットＮ２〜第十一ナットＮ１１）を任意の質量の複数種類から選択して組み合わせることで、任意の質量バランスの芯部品を組み構成することができる（図１０（ｂ））。
【００５３】
このようにして組み構成した芯部品を、前後２部品たる第一外枠部２１、第二外枠部２２に分割構成された外枠部品で覆い、芯部品前部の張り出しナット１１０Ｈを張出部１１Ｈとして第一外枠部２１の前端面に当接させ、第二外枠部２２の後端の内螺子構造によって芯部品の後端の固定螺子ナット１２０Ｅを螺合固定することで、外枠部品が前後に挟まれた状態で組み構成される。なお、第一外枠部２１の後端内部には弾性材からなるリング状の突起１２Ｒが取り付けられ、前後の外枠部２１，２２の当接固定及び芯部品の収容固定のガタツキを防ぐものとなっている。特記しない他の具体的な構成は実施例１（図１〜図３）ないし参考例（図４、図５）と同様である。
【００５４】
上記形態のほか、外枠部品及び芯部品１は、第一質量材、第二質量材、・・・からなる互いに異質量の複数個ずつの同形体から構成され、かつ、
芯部品１の軸棒は、軸方向に複数分割された、互いに同容積の複数本の分割軸棒から構成され、
バレル外枠部品は、軸方向に複数分割された、互いに同容積の複数本の分割枠体から構成されるものとしてもよい。
本発明は基本構成として、「バレル外枠（カバー）部品」と「挿入式コア部品」とを組合せた着せ替え可能な構成とし、「挿入式コア部品」は、複数材のネジ連結式 (ロケット連結）でバランス調整可能な構成としている。
また具体的構成として、シャフト連結用の後端雌ネジのネジ余り部分を利用してコアを連結しており、軸方向に２分解した分解コアＡＢをネジ連結可能とし、ＡＢそれぞれ質量の異なるものを複数個ずつ用意する。これにより、高価材のコア部品と、好みのデザインの安価カバー部品とを組合せることで、高デザイン性かつ安価な（好みのデザイン/好みの重量バランスの）バレルを作ることが可能になる。また分解コアの組み合わせで、重量バランス／全体の重量を変えることができる。
コア部品、カバー部品をそれぞれ複数個用意して交換可能にすると、任意形状、任意質量、ないし任意の質量バランスのバレルが得られる。
例えば実施例のように第一質量、第二質量の前芯部品、第一質量、第二質量の後芯部品、第一質量、第二質量の前外枠部品、第一質量、第二質量の後外枠部品の４形状８種類を用意した場合には、前重心、やや前重心、センター重心、やや後重心、後重心の組み合わせが得られる。
【００５５】
【符号の説明】
１          芯部品
１００      軸芯
１１，１２  分割軸棒（軸棒）
１１Ｈ      張出部
１１０Ｈ    張り出しナット
１２Ｅ      固定螺子
１２０Ｅ    固定螺子ナット
２０１，２０２  筒孔
２１，２２  外枠部品
２Ｉ        内螺子構造
２２Ｉ      余ネジ部
２３Ｉ      シャフト内螺子構造
１４、１４Ａ、１４Ｂ  丸ナット
３          シャフト
４          チップ
Ｆ          フライト
【要約】
【課題】質量の異なる複数の同形状又は類似形状の構成部品を組み合わせることで重量バランスの任意調節を容易にし、かつ、組み合わせた状態で組み合わせバランスを保ってガタツキなく一体化し、緩みにくいダーツ用バレルを提供する。
【解決手段】チップ４と連結する先端螺合構造を先端側に有し、シャフトと連結する内螺子構造２Ｉを基端側に有し、チップ、シャフト、フライトと共に連結されることでダーツ矢を構成するダーツ用バレルであって、バレル外形を有すると共に軸方向に筒孔を有した筒状の外枠部品２１，２２，・・・と、前記筒孔内に挿入されると共に筒孔内の内螺子構造２Ｉの一部に螺入固定される芯部品１１，１２，・・・とを、それぞれ質量の異なる複数個ずつ具備し、これら複数個のうちいずれかのバレル外枠部品と、いずれかの芯部品とを、任意の組合わせで組み構成される。
【選択図】  図１【図１】
0005618342.tif 000002
【図２】
0005618342.tif 000003
【図３】
0005618342.tif 000004
【図４】
0005618342.tif 000005
【図５】
0005618342.tif 000006
【図６】
0005618342.tif 000007
【図７】
0005618342.tif 000008
【図８】
0005618342.tif 000009
【図９】
0005618342.tif 000010
【図１０】
0005618342.tif 000011